(57)【要約】【課題】変倍比や画角を確保しつつ、小型化や光学性能の確保を行いやすい正、負、正、正、正の少なくとも５つのレンズ群からなる光路反射型ズームレンズを備えた撮像装置を提供する。【解決手段】広角端から望遠端へのズーミングの際に、反射部材を有する第１レンズ群と、第３レンズ群と、を撮像面に対してそれぞれ固定し、第２レンズ群は広角端に対して望遠端にて像側に移動し、第４レンズ群は広角端に対して望遠端にて物体側に移動して各レンズ群の間の間隔を変化させ、さらに、第１レンズ群は反射部材よりも物体側に配置された負屈折力の負レンズ成分と、反射部材よりも像側に配置された正の屈折力の正レンズ成分を有し、且つ、正レンズ成分は屈折率とアッベ数の双方が異なる少なくとも２つのレンズを接合した接合レンズ成分である。【選択図】図１
2010134186.tif 000002
【特許請求の範囲】
【請求項１】
光路を屈曲させる反射面をもつ反射部材を有するズームレンズと、
前記ズームレンズの像側に配置され、撮像面を有し且つ前記ズームレンズにより前記撮像面上に形成された像を電気信号に変換する撮像素子と、を備え、
前記ズームレンズは、物体側より順に、
前記反射部材を有する正屈折力の第１レンズ群と、
負屈折力の第２レンズ群と、
正屈折力の第３レンズ群と、
正屈折力の第４レンズ群と、
正屈折力の第５レンズ群と、
を有し、
広角端から望遠端へのズーミングの際に、
前記第１レンズ群と前記第３レンズ群を前記撮像面に対して固定し、
前記第２レンズ群は広角端に対して望遠端にて像側に移動し、
前記第４レンズ群は広角端に対して望遠端にて物体側に移動して各レンズ群の間の間隔を変化させ、
さらに、前記第１レンズ群は前記反射部材よりも物体側に配置された負屈折力の負レンズ成分と、前記反射部材よりも像側に配置された正の屈折力の正レンズ成分を有し、且つ、前記正レンズ成分は屈折率とアッベ数の双方が異なる少なくとも２つのレンズを接合した接合レンズ成分であることを特徴とする撮像装置。
【請求項２】
前記接合レンズ成分は両凸形状のレンズ成分であり、且つ、前記接合レンズ成分は光軸上にて両凸形状の両凸レンズと光軸上にて前記両凸レンズ側に凹面を向けたメニスカスレンズを有し、且つ、前記第１レンズ群中にて、前記反射部材よりも像側に配置されるレンズ成分の総数が１であることを特徴とする請求項１に記載の撮像装置。
【請求項３】
前記接合レンズ成分中のレンズの総数が２であることを特徴とする請求項２に記載の撮像装置。
【請求項４】
前記接合レンズ成分は非球面同士を接合させた複数の非球面レンズを有することを特徴とする請求項１から請求項３のいずれか１項に記載の撮像装置。
【請求項５】
前記ズームレンズ中の反射面の総数は１であることを特徴とする請求項１から請求項４のいずれか１項に記載の撮像装置。
【請求項６】
前記第１レンズ群中の前記反射部材は内面反射面を有し、屈折率が１．３を上回るプリズムであることを特徴とする請求項５に記載の撮像装置。
【請求項７】
前記第１レンズ群中の前記接合レンズ成分は両凸形状のレンズ成分であり、以下の条件式（１）を満足することを特徴とする請求項１から請求項６のいずれか１項に記載の撮像装置。
５．０＜（｜ｒ１｜＋｜ｒ２｜）／ｄ１＜２４．０  ・・・（１）
ただし、
ｒ１は、前記接合レンズ成分の物体側面の近軸曲率半径、
ｒ２は、前記接合レンズ成分の像側面の近軸曲率半径、
ｄ１は、前記接合レンズ成分の光軸上での厚みである。
【請求項８】
前記第１レンズ群中の前記接合レンズ成分が、以下の条件式（２）を満足することを特徴とする請求項１から請求項７のいずれか１項に記載の撮像装置。
νｄａｖｅ＞２８．０  ・・・（２）
ただし、
νｄａｖｅは、前記接合レンズ成分中の各レンズのアッベ数の平均値である。
【請求項９】
前記第２レンズ群と前記第３レンズ群が以下の条件式（３）を満足することを特徴とする請求項１から請求項８のいずれか１項に記載の撮像装置。
０．００１＜｜ｆ２ｇ／ｆ３ｇ｜＜０．４０  ・・・（３）
ただし、
ｆ２ｇは、前記第２レンズ群の焦点距離、
ｆ３ｇは、前記第３レンズ群の焦点距離である。
【請求項１０】
前記第１レンズ群が以下の条件式（４）を満足することを特徴とする請求項１から請求項９のいずれか１項に記載の撮像装置。
１．０＜ｆ１ｇ／ｆｗ＜４．０  ・・・（４）
ただし、
ｆ１ｇは、前記第１レンズ群の焦点距離、
ｆｗは、広角端における前記ズームレンズ全系の焦点距離である。
【請求項１１】
前記ズームレンズが、以下の条件式（５）を満足することを特徴とする請求項１から請求項１０のいずれか１項に記載の撮像装置。
０．５＜Ｄ／ｆｔ＜３．０  ・・・（５）
ただし、
Ｄは、前記ズームレンズ中の最も物体側のレンズの物体側屈折面から前記撮像面までの光軸に沿った光路長、
ｆｔは、望遠端における前記ズームレンズ全系の焦点距離である。
【請求項１２】
前記ズームレンズが以下の条件式（６）を満足することを特徴とする請求項１から請求項１１のいずれか１項に記載の撮像装置。
３．８＜ｆｔ／ｆｗ＜１０．０  ・・・（６）
ただし、
ｆｔは、望遠端における前記ズームレンズ全系の焦点距離、
ｆｗは、広角端における前記ズームレンズ全系の焦点距離である。
【請求項１３】
前記接合レンズ成分は、樹脂レンズを有することを特徴とする請求項１から請求項１２のいずれか１項に記載の撮像装置。
【請求項１４】
前記第１レンズ群中の前記接合レンズ成分が以下の条件式（７）を満足することを特徴とする請求項１から請求項１３のいずれか１項に記載の撮像装置。
３．０＜νｍａｘ−νｍｉｎ  ・・・（７）
ただし、
νｍａｘは前記第１レンズ群中の前記接合レンズ成分中の各レンズのアッベ数のうちの最大値、
νｍｉｎは前記第１レンズ群中の前記接合レンズ成分中の各レンズのアッベ数のうちの最小値である。
【請求項１５】
前記第１レンズ群中の前記接合レンズ成分が以下の条件式（８）を満足することを特徴とする請求項１から請求項１４のいずれか１項に記載の撮像装置。
０．７０＜Ｄｍａｘ／Ｄｃｅ＜１．０  ・・・（８）
ただし、
Ｄｍａｘは前記第１レンズ群中の前記接合レンズ成分中の各レンズの光軸上の厚さのうちの最大値、
Ｄｃｅは前記第１レンズ群中の前記接合レンズ成分の光軸上の厚さである。
【請求項１６】
前記撮像面上に形成され前記ズームレンズのディストーションを含む信号を前記ディストーションを補正した信号に変換する処理回路を有することを特徴とする請求項１から請求項１５のいずれか１項に記載の撮像装置。
【発明の詳細な説明】
【技術分野】
【０００１】
本発明は、反射部材を有するズームレンズを備えたデジタルカメラやビデオカメラなどの撮像装置に関するものである。
【背景技術】
【０００２】
近年では、携帯できる撮像装置として、ＣＣＤやＣＭＯＳのような撮像素子を用いて被写体を撮影するデジタルカメラやビデオカメラが主流となっている。そのうちデジタルカメラは一つのカテゴリーにとどまらず、高級・高機能なタイプのものからコンパクトな普及タイプまで幅広い範囲でいくつものカテゴリーを有する。
【０００３】
コンパクトな普及タイプのデジタルカメラのユーザーは、いつでもどこでも手軽に幅広いシーンで撮影を楽しみたいという要望をもっている。そのため、小型な商品、特に服やカバンのポケット等への収納性がよく、持ち運びが便利で、厚み方向のサイズが薄型であるタイプのデジタルカメラが好まれている。したがって、撮影レンズとして用いるズームレンズにも、薄型化が求められている。
【０００４】
このようなニーズに対応するため、反射部材を用いて光路を反射するタイプのズームレンズが提案されている。例えば、特許文献１には、物体側から順に、反射部材をもつ正屈折力の第１レンズ群、負屈折力の第２レンズ群、正屈折力の第３レンズ群、正屈折力の第４レンズ群、正屈折力の第５レンズ群を有し、主に第２レンズ群と第４レンズ群の移動によりズーミングを行うズームレンズが開示されている。
【０００５】
このような反射部材を有するズームレンズは、撮像装置の厚さ方向の薄型化に有利となる。また、上述のような各レンズ群の屈折力配分と、ズーミング時のレンズ群の移動方式により、第２レンズ群と第４レンズ群に変倍機能を持たせられる。また、第３レンズ群に正屈折力を持たせることで、第４レンズ群での有効径を小さくしやすくなる。また、第５レンズ群を正屈折力とすることで、射出瞳を像面から離しやすくなり、電子撮像素子を用いる撮影装置に適した構成となる。
【０００６】
また、上述のズームレンズでは、第１レンズ群の反射部材の像側に正屈折力の単レンズを２つ配置し、諸収差の補正を行い、変倍比を確保しやすくしている。
【０００７】
【特許文献１】特開２００７−９３９８０号公報
【発明の開示】
【発明が解決しようとする課題】
【０００８】
しかしながら、特許文献１記載のズームレンズのように第１レンズ群にて反射部材の像側に２つの単レンズを配置する場合、それぞれの単レンズの剛性確保のためにそれぞれの単レンズが軸上の十分な厚みを必要とする。そのためズームレンズの小型化に不利となる。
【０００９】
また、それら２つの単レンズの相互の偏心による偏心収差の発生の低減のために、それら２つの単レンズの組み込みの精度をシビアにする必要がある。量産性の確保のためには、組み込み工程での製造誤差に対する光学性能劣化の感度を小さく抑えることが必要である。
【００１０】
本発明は、上記に鑑みてなされたものであって、変倍比や画角を確保しつつ、小型化や光学性能の確保を行いやすい正、負、正、正、正の少なくとも５つのレンズ群を有する光路反射型ズームレンズを備えた撮像装置を提供することを目的とするものである。
【課題を解決するための手段】
【００１１】
上述した課題を解決し、目的を達成するために、本発明の撮像装置は、光路を屈曲させる反射面をもつ反射部材を有するズームレンズと、ズームレンズの像側に配置され、撮像面を有し且つズームレンズにより撮像面上に形成された像を電気信号に変換する撮像素子と、を備え、ズームレンズは、物体側より順に、反射部材を有する正屈折力の第１レンズ群と、負屈折力の第２レンズ群と、正屈折力の第３レンズ群と、正屈折力の第４レンズ群と、正屈折力の第５レンズ群と、を有し、広角端から望遠端へのズーミングの際に、第１レンズ群と第３レンズ群を撮像面に対して固定し、第２レンズ群は広角端に対して望遠端にて像側に移動し、第４レンズ群は広角端に対して望遠端にて物体側に移動して各レンズ群の間の間隔を変化させ、さらに、第１レンズ群は反射部材よりも物体側に配置された負屈折力の負レンズ成分と、反射部材よりも像側に配置された正の屈折力の正レンズ成分を有し、且つ、正レンズ成分は屈折率とアッベ数の双方が異なる少なくとも２つのレンズを接合した接合レンズ成分であることを特徴としている。
【００１２】
この構成により、第１レンズ群の反射部材により光路を反射することで物体側から入射する方向である撮像装置の厚さ方向の厚みを小さくできる。そして、物体側から順に正の第１レンズ群、負の第２レンズ群、正の第３レンズ群、正の第４レンズ群、正の第５レンズ群を有する配置とし、第１レンズ群と第３レンズ群を撮像面に対して固定し、ズーミング時に第２レンズ群と第４レンズ群を上述のように移動させる。
【００１３】
それにより、全長を一定としつつ、第２レンズ群と第４レンズ群に変倍負担を分担できる。また、固定の第３レンズ群の存在により第４レンズ群の径方向の小型化や収差低減に有利となる。そして、正屈折力の第５レンズ群を配置することにより射出瞳を像面から遠ざけることができ、撮像面に光線が大きい入射角で入射することによる画質劣化を低減できる。
【００１４】
さらに、反射部材よりも物体側に負屈折力の負レンズ成分を配置し、反射部材の像側に正屈折力の正レンズ成分を配置すると、収差補正を行いやすくなるとともに、第１レンズ群がワイドコンバーションレンズのように機能し、広角端での画角の確保に有利となる。また、高変倍比化のためには第１レンズ群の正屈折力を十分に確保して、第２レンズ群による増倍機能を十分に確保することが好ましい。一方、画角の確保や変倍比の確保を行おうとすると、この正レンズ成分の屈折力が大きくなりやすい。
【００１５】
そこで、本発明は、第１レンズ群の正レンズ成分を屈折率とアッベ数の双方が異なる少なくとも２つのレンズを接合した接合レンズ成分とすることを特徴としている。第１レンズ群において、反射部材の像側に位置する正レンズ成分を上述の接合レンズ成分とすることで、第１レンズ群の小型化と色のコマ収差などの諸収差の低減に有利となる。
【００１６】
また、複数のレンズを接合することで、いずれかのレンズの厚みを小さくしても剛性の確保が行え、第１レンズ群の小型化に有利となる。また、複数のレンズを接合することによるレンズ同士の偏心も生じにくくなり、組み立て時の効率の改善に効果的となる。
【００１７】
なお、レンズ成分は、空気と接する屈折面が物体側面と像側面の２つのみのレンズ体であり、単レンズや接合レンズを意味する。
【００１８】
また、ズームレンズがフォーカシング機構を有する場合は最も遠距離に合焦した状態での構成とする。以下の各構成も同様に、ズームレンズがフォーカシング機構を有する場合は最も遠距離に合焦した状態での構成とする。
【００１９】
上述の発明にて、以下に示す構成の１つもしくは複数の事項を満足することがより好ましい。
【００２０】
本発明の撮像装置では、接合レンズ成分は両凸形状のレンズ成分であり、且つ、接合レンズ成分は光軸上にて両凸形状の両凸レンズと光軸上にて両凸レンズ側に凹面を向けたメニスカスレンズを有し、且つ、第１レンズ群中にて、反射部材よりも像側に配置されるレンズ成分の総数が１であることが好ましい。
【００２１】
接合レンズ成分の正の屈折力を複数のレンズ面に分担でき、接合レンズ成分の正屈折力の確保と球面収差の低減に有利となる。さらに、第１レンズ群中の反射部材の像側のレンズ成分の総数を１にすることで第１レンズ群の小型化に有利となる。
【００２２】
また、本発明の撮像装置では、接合レンズ成分中のレンズの総数が２であることが好ましい。これにより、構成レンズ数を節約でき、小型化やコスト低減に有利となる。
【００２３】
本発明の撮像装置では、接合レンズ成分は非球面同士を接合させた複数の非球面レンズを有することが好ましい。これにより、接合面を非球面にでき、この非球面による諸収差、特に望遠端における高次のコマ収差の補正機能の向上に有利となる。
【００２４】
さらに、本発明の撮像装置では、ズームレンズ中の反射面の総数は１であることが好ましい。総数を１とすると、ズームレンズ中のスペースの節約による小型化、反射部材点数の節約による、低コスト化に有利となる。
【００２５】
本発明の撮像装置では、第１レンズ群中の反射部材が内面反射面を有し、屈折率が１．３を上回るプリズムであることが好ましい。この構成によれば、反射部材の媒質の屈折率を利用でき、プリズムの有効径を小さくできるので、第１レンズ群の小型化に有利となる。
【００２６】
本発明の撮像装置では、第１レンズ群中の接合レンズ成分が両凸形状のレンズ成分であり、以下の条件式（１）を満足することが好ましい。
５．０＜（｜ｒ１｜＋｜ｒ２｜）／ｄ１＜２４．０  ・・・（１）
ただし、
ｒ１は、接合レンズ成分の物体側面の近軸曲率半径、
ｒ２は、接合レンズ成分の像側面の近軸曲率半径
ｄ１は、接合レンズ成分の光軸上での厚みである。
【００２７】
このような構成により、接合レンズ成分の正の屈折力を複数のレンズ面に分担でき、接合レンズ成分の正屈折力の確保と球面収差の低減に有利となる。
【００２８】
条件式（１）は、両凸形状の接合レンズ成分の物体側面と像側面の好ましい近軸曲率半径と光軸上での厚みを規定するものである。条件式（１）の下限を下回らないようにして、物体側面と像側面の曲率が大きくなりすぎないようにすることで、軸外収差や色収差の補正に有利となる。条件式（１）の上限を上回らないようにして、接合レンズ成分の光軸上の厚み、物体側面と像側面の双方の正屈折力を確保することで、接合レンズ成分の正屈折力の確保と、正屈折力を確保した際の球面収差の補正に有利となる。
【００２９】
また、本発明の撮像装置では、第１レンズ群中の接合レンズ成分が、以下の条件式（２）を満足することが好ましい。
νｄａｖｅ＞２８．０  ・・・（２）
ただし、
νｄａｖｅは、接合レンズ成分中の各レンズのアッベ数の平均値である。
【００３０】
条件式（２）は、第１レンズ群中の接合レンズ成分中の各レンズのアッベ数の好ましい条件を特定するものである。条件式（２）の下限を下回らないようにすることで、接合レンズ成分中のレンズの分散を全体的に小さくでき、色収差の補正を行いやすくなる。
【００３１】
さらにまた、本発明の撮像装置では、第２レンズ群と第３レンズ群が以下の条件式（３）を満足することが好ましい。
０．００１＜｜ｆ２ｇ／ｆ３ｇ｜＜０．４０  ・・・（３）
ただし、
ｆ２ｇは、第２レンズ群の焦点距離、
ｆ３ｇは、第３レンズ群の焦点距離である。
【００３２】
条件式（３）は、第２レンズ群と第３レンズ群の焦点距離の好ましい屈折力バランスを特定するものである。
【００３３】
条件式（３）の下限を下回らないようにすることで、第２レンズ群の屈折力を適度に抑え、第３レンズ群の正屈折力を確保でき、収差補正や第４レンズ群の小型化に有利となる。
【００３４】
条件式（３）の上限を上回らないようにすることで、第３レンズ群の正屈折力を適度に抑え、第３レンズのレンズ枚数の低減に有利となる。もしくは、第２レンズ群の屈折力を確保でき、第２レンズ群の移動量を低減でき小型化に有利となる。
【００３５】
本発明の撮像装置では、第１レンズ群での収差の低減に有利となるため、第１レンズ群に以下の条件式（４）を満足する正屈折力をもたせ、変倍比の確保もしくは小型化を行うことが好ましい。
【００３６】
本発明の撮像装置では、第１レンズ群が以下の条件式（４）を満足することが好ましい。
１．０＜ｆ１ｇ／ｆｗ＜４．０  ・・・（４）
ただし、
ｆ１ｇは、第１レンズ群の焦点距離、
ｆｗは、広角端におけるズームレンズ全系の焦点距離である。
【００３７】
条件式（４）は第１レンズ群の好ましい焦点距離を特定するものである。
【００３８】
条件式（４）の下限を下回らないようにすることで、軸外収差や色収差の補正を行いやすくなる。条件式（４）の上限を上回らないようにすることで、第２レンズ群による変倍機能を確保しやすくなり変倍比の確保に有利となる。
【００３９】
また、本発明の撮像装置は、第１レンズ群の正屈折力の確保と小型化の両立に有利であるため、以下の条件式（５）を満足した光路長のズームレンズとすることが好ましい。
【００４０】
本発明の撮像装置では、ズームレンズが、以下の条件式（５）を満足することが好ましい。
０．５＜Ｄ／ｆｔ＜３．０  ・・・（５）
ただし、
Ｄは、ズームレンズ中の最も物体側のレンズの物体側屈折面から撮像面までの光軸に沿った光路長、
ｆｔは、望遠端におけるズームレンズ全系の焦点距離である。
【００４１】
条件式（５）の下限を下回らないようにして光路長を確保することで、ズーミングのための移動スペースを確保しやすくなる。条件式（５）の上限を上回らないようにすることで、撮像装置の小型化に有利になる。
【００４２】
本発明の撮像装置では、ズームレンズが以下の条件式（６）を満足することが好ましい。
３．８＜ｆｔ／ｆｗ＜１０．０  ・・・（６）
ただし、
ｆｔは、望遠端におけるズームレンズ全系の焦点距離、
ｆｗは、広角端におけるズームレンズ全系の焦点距離である。
【００４３】
条件式（６）はズームレンズの好ましい変倍比を特定するものである。
【００４４】
条件式（６）の下限を下回らないように変倍比を確保すると、広角撮影や望遠撮影の表現の幅が広がり好ましい。条件式（６）の上限を上回らないようにすることで、ズームレンズの小型化に有利となる。
【００４５】
本発明の撮像装置では、接合レンズ成分が、樹脂レンズを有することが好ましい。樹脂レンズを接合レンズ成分中のいずれかのレンズとすることで、薄型化に有利となる。また、接合面を非球面とする場合も、非球面ガラスレンズ同士を接合する場合に比べて製造が容易となる。たとえば、ガラスレンズの非球面側に粘性の樹脂材料を垂らし、型で圧縮し、冷却固化や紫外線固化する方向が考えられる。
【００４６】
本発明の撮像装置では、第１レンズ群中の接合レンズ成分が以下の条件式（７）を満足することが好ましい。
３．０＜νｍａｘ−νｍｉｎ  ・・・（７）
ただし、
νｍａｘは第１レンズ群中の接合レンズ成分中の各レンズのアッベ数のうちの最大値、
νｍｉｎは第１レンズ群中の接合レンズ成分中の各レンズのアッベ数のうちの最小値である。
【００４７】
条件式（７）の下限を下回らないようにアッベ数の異なるレンズを接合レンズ成分中に含めることにより色収差補正機能の確保にいっそう有利となる。
【００４８】
本発明の撮像装置では、第１レンズ群中の接合レンズ成分が以下の条件式（８）を満足することが好ましい。
０．７０＜Ｄｍａｘ／Ｄｃｅ＜１．０  ・・・（８）
ただし、
Ｄｍａｘは第１レンズ群中の接合レンズ成分中の各レンズの光軸上の厚さのうちの最大値、
Ｄｃｅは第１レンズ群中の接合レンズ成分の光軸上の厚さである。
【００４９】
条件式（８）の下限を下回らないようにすることで、接合レンズ成分中の厚みが大きいレンズを１つのみにでき、第１レンズ群の小型化にいっそう有利となる。条件式（８）の上限を上回らないようにすることで、接合レンズ成分による軸上収差の補正機能を確保しやすくなる。
【００５０】
本発明の撮像装置では、撮像面上に形成されズームレンズのディストーションを含む信号をディストーションを補正した信号に変換する処理回路を有することが好ましい。
【００５１】
ディストーションと非点収差はトレードオフの関係になりやすいが、上述の処理回路を有することによりズームレンズ自体のディストーションを許容できる。そのため、ズームレンズによる非点収差の軽減や小型化に有利となる。
【００５２】
上述の各構成や条件式は複数を同時に満足することがより好ましい。
また、各条件式について以下のようにすることがより好ましい。
【００５３】
条件式（１）については、下限値を７．０、さらには９．０とすることがより好ましい。上限値を１８．０、さらには１２．０とすることがより好ましい。
【００５４】
条件式（２）については、下限値を３２．０、さらには３６．０とすることがより好ましい。上限値を８０．０設けてもよい。
上限値を上回らないようにすることで接合レンズの屈折率を維持しやすくなり単色収差を補正しやすくなる。また、上限値を７０．０、さらには６０．０とすることがより好ましい。
【００５５】
条件式（３）については、下限値を０．００５、さらには０．００８とすることがより好ましい。上限値を０．３０、さらには０．２８、さらには０．２５とすることがより好ましい。
【００５６】
条件式（４）については、下限値を１．５、さらには２．０とすることがより好ましい。上限値を３．８、さらには３．５とすることがより好ましい。
【００５７】
条件式（５）については、下限値を０．７、さらには０．９とすることがより好ましい。上限値を２．８、さらには２．６とすることがより好ましい。
【００５８】
条件式（６）については、下限値を４．０、さらには４．５とすることがより好ましい。上限値を８．５、さらには７．０とすることがより好ましい。
【００５９】
条件式（７）については、下限値を３．７、さらには１０．０、さらには、２０．０とすることがより好ましい。上限値を設け、７０．０を上回らないようにしてもよい。材料コストの低減に有利となる。
【００６０】
条件式（８）については、下限値を０．７５、さらには０．７７とすることがより好ましい。上限値を０．９９０、さらには０．９７５としてもよい。
【発明の効果】
【００６１】
本発明は、変倍比や画角を確保しつつ、小型化や光学性能の確保を行いやすい正、負、正、正、正の少なくとも５つのレンズ群からなる光路反射型ズームレンズを備える撮像装置を提供することができる、という効果を奏する。
【発明を実施するための最良の形態】
【００６２】
以下に、本発明にかかる撮像装置の実施例を図面に基づいて詳細に説明する。なお、この実施例によりこの発明が限定されるものではない。
以下の数値データでは反射面は省略しているが、第３面と第４面の２つの平面の中間に内面反射する平面反射面が位置し、直角に光軸を反射する。
【００６３】
ズームレンズの広角端から望遠端への変倍にて、第１レンズ群Ｇ１、第３レンズ群Ｇ３、明るさ絞りは撮像面に対して固定される。一方、広角端から望遠端への変倍にて、第２レンズ群Ｇ２は像側のみに移動、第４レンズ群Ｇ４は物体側のみに移動する。
【００６４】
また、第５レンズ群Ｇ５は、実施例１、２、５では、まず像側に移動後、広角端と中間状態の間で移動方向が反転する。実施例３、４では、まず像側に移動後、中間状態と望遠端の間で移動方向が反転する。実施例６では、物体側にのみ移動する。実施例７では、まず物体側へ移動後、中間状態と望遠端との間で移動方向が反転する。
【００６５】
フォーカシングは第５レンズ群の物体側への繰り出し移動で行う。
【実施例】
【００６６】
以下、本発明のズームレンズの実施例１〜７について説明する。実施例１〜７の無限遠物点合焦時の広角端（ａ）、中間焦点距離状態（ｂ）、望遠端（ｃ）のレンズ断面図をそれぞれ図１〜図７に示す。図１〜図７中、第１レンズ群はＧ１、第２レンズ群はＧ２、明るさ（開口）絞りはＳ、第３レンズ群はＧ３、第４レンズ群はＧ４、第５レンズ群はＧ５、赤外光を制限する波長域制限コートを施したローパスフィルタを構成する平行平板はＦ、電子撮像素子のカバーガラスの平行平板はＣ、像面（撮像面）はＩで示してある。なお、カバーガラスＣの表面に波長域制限用の多層膜を施してもよい。また、そのカバーガラスＣにローパスフィルタ作用を持たせるようにしてもよい。
【００６７】
また、数値データはいずれも無限遠の被写体に合焦した状態でのデータである。各数値の長さの単位はｍｍ、角度の単位は°（度）である。フォーカシングはいずれの実施例も第５レンズ群Ｇ５の移動により行う。さらに、ズームデータは広角端（ＷＥ）、中間ズーム状態（ＳＴ）、望遠端（ＴＥ）での値である。
【００６８】
実施例１のズームレンズは、図１に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００６９】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。明るさ絞りＳは固定されている。
【００７０】
物体側から順に、第１レンズ群Ｇ１は、物体側に平面を向けた平凹負レンズと、プリズム（反射部材）と、両凸正レンズと像側に凸面を向けた（両凸正レンズ側に凹面を向けた）正メニスカスレンズとの接合レンズと、からなる。
第２レンズ群Ｇ２は、両凹負レンズと、像側に凸面を向けた正メニスカスレンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと両凹負レンズと物体側に凸面を向けた正メニスカスレンズとの接合レンズと、からなる。
第５レンズ群Ｇ５は両凸正レンズからなる。
【００７１】
非球面は、第１レンズ群Ｇ１の接合レンズの３面と、第２レンズ群Ｇ２の物体側の両凹負レンズの両面と、第３レンズ群Ｇ３の正メニスカスレンズの物体側の面と、第４レンズ群Ｇ４の物体側の両凸正レンズの両面と、第５レンズ群Ｇ５の両凸正レンズの像側の面と、の９面に設けられている。
【００７２】
実施例２のズームレンズは、図２に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００７３】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。明るさ絞りＳは固定されている。
【００７４】
物体側から順に、第１レンズ群Ｇ１は、物体側に平面を向けた平凹負レンズと、プリズム（反射部材）と、両凸正レンズと像側に凸面を向けた（両凸正レンズ側に凹面を向けた）正メニスカスレンズとの接合レンズと、からなる。
第２レンズ群Ｇ２は、両凹負レンズと、像側に凸面を向けた正メニスカスレンズと両凹負レンズとの接合レンズと、からなる。  
第３レンズ群Ｇ３は物体側に凸面を向けた正メニスカスレンズからなる。
第４レンズ群Ｇ４は、両凸正レンズと、両凸正レンズと両凹負レンズと物体側に凸面を向けた正メニスカスレンズとの接合レンズと、からなる。
第５レンズ群Ｇ５は両凸正レンズからなる。
【００７５】
非球面は、第１レンズ群Ｇ１の接合レンズの３面と、第２レンズ群Ｇ２の物体側の両凹負レンズの両面と、第３レンズ群Ｇ３の正メニスカスレンズの物体側の面と、第４レンズ群Ｇ４の物体側の両凸正レンズの両面と、第５レンズ群Ｇ５の両凸正レンズの像側の面と、の９面に設けられている。
【００７６】
実施例３のズームレンズは、図３に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００７７】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。明るさ絞りＳは固定されている。
【００７８】
物体側から順に、第１レンズ群Ｇ１は、物体側に凸面を向けた負メニスカスレンズと、プリズム（反射部材）と、両凸正レンズと像側に凸面を向けた（両凸正レンズ側に凹面を向けた）正メニスカスレンズとの接合レンズと、からなる。
第２レンズ群Ｇ２は、両凹負レンズと、両凸正レンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと像側に凸面を向けた負メニスカスレンズとの接合レンズと、両凸正レンズと両凹負レンズとの接合レンズと、からなる。
第５レンズ群Ｇ５は像側に凸面を向けた正メニスカスレンズからなる。
【００７９】
非球面は、第１レンズ群Ｇ１の接合レンズの３面と、第２レンズ群Ｇ２の物体側の両凹負レンズの両面と、第４レンズ群Ｇ４の物体側の両凸正レンズの両面と、の７面に設けられている。
【００８０】
実施例４のズームレンズは、図４に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００８１】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。明るさ絞りＳは固定されている。
遠距離物点から近距離物点への合焦動作は、第５レンズ群を物体側に移動させて行う。
【００８２】
物体側から順に、第１レンズ群Ｇ１は、物体側に凸面を向けた負メニスカスレンズと、プリズム（反射部材）と、物体側に凸面を向けた（両凸正レンズ側に凹面を向けた）負メニスカスレンズと両凸正レンズとの接合レンズと、からなる。
第２レンズ群Ｇ２は、両凹負レンズと、両凸正レンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと像側に凸面を向けた負メニスカスレンズとの接合レンズと、両凸正レンズと両凹負レンズとの接合レンズと、からなる。
第５レンズ群Ｇ５は像側に凸面を向けた正メニスカスレンズからなる。
【００８３】
非球面は、第１レンズ群Ｇ１の接合レンズの３面と、第２レンズ群Ｇ２の物体側の両凹負レンズの両面と、第４レンズ群Ｇ４の物体側の両凸正レンズの両面と、の７面に設けられている。
【００８４】
実施例５のズームレンズは、図５に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００８５】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は像側へ移動した後に物体側へ移動する。明るさ絞りＳは固定されている。
【００８６】
物体側から順に、第１レンズ群Ｇ１は、物体側に平面を向けた平凹負レンズと、プリズム（反射部材）と、両凸正レンズと像側に凸面を向けた（両凸正レンズ側に凹面を向けた）正メニスカスレンズとの接合レンズと、からなる。
第２レンズ群Ｇ２は、両凹負レンズと、像側に凸面を向けた正メニスカスレンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと両凹負レンズと物体側に凸面を向けた正メニスカスレンズとの接合レンズと、からなる。
第５レンズ群Ｇ５は両凸正レンズからなる。
【００８７】
非球面は、第１レンズ群Ｇ１の両凸正レンズの物体側の面と、正メニスカスレンズの像側の面と、第２レンズ群Ｇ２の物体側の両凹負レンズの両面と、第３レンズ群Ｇ３の正メニスカスレンズの物体側の面と、第４レンズ群Ｇ４の物体側の両凸正レンズの両面と、第５レンズ群Ｇ５の両凸正レンズの像側の面と、の８面に設けられている。
【００８８】
実施例６のズームレンズは、図６に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００８９】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動する。明るさ絞りＳは固定されている。
【００９０】
物体側から順に、第１レンズ群Ｇ１は、物体側に平面を向けた平凹負レンズと、プリズム（反射部材）と、物体側に凸面を向けた（両凸正レンズ側に凹面を向けた）負メニスカスレンズと両凸正レンズとの接合レンズと、からなる。
第２レンズ群Ｇ２は、両凹負レンズと、像側に凸面を向けた正メニスカスレンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと両凹負レンズと物体側に凸面を向けた正メニスカスレンズとの接合レンズと、からなる。
第５レンズ群Ｇ５は両凸正レンズからなる。
【００９１】
非球面は、第１レンズ群Ｇ１の接合レンズの３面と、第２レンズ群Ｇ２の物体側の両凹負レンズの両面と、第３レンズ群Ｇ３の正メニスカスレンズの物体側の面と、第４レンズ群Ｇ４の物体側の両凸正レンズの両面と、第５レンズ群Ｇ５の両凸正レンズの像側の面と、の９面に設けられている。
【００９２】
実施例７のズームレンズは、図７に示すように、物体側から順に、正の屈折力の第１レンズ群Ｇ１と、負の屈折力の第２レンズ群Ｇ２と、正の屈折力の第３レンズ群Ｇ３と、明るさ（開口）絞りＳと、正の屈折力の第４レンズ群Ｇ４と、正の屈折力の第５レンズ群Ｇ５と、を配置している。
【００９３】
広角端から望遠端への変倍に際して、第１レンズ群Ｇ１は固定されている。第２レンズ群Ｇ２は像側へ移動する。第３レンズ群Ｇ３は固定されている。第４レンズ群Ｇ４は物体側へ移動する。第５レンズ群Ｇ５は物体側へ移動した後に像側へ移動する。明るさ絞りＳは固定されている。
【００９４】
物体側から順に、第１レンズ群Ｇ１は、物体側に平面を向けた平凹負レンズと、プリズム（反射部材）と、両凸正レンズと像側に凸面を向けた（両凸正レンズ側に凹面を向けた）正メニスカスレンズとの接合レンズと、からなる。
第２レンズ群Ｇ２は、像側に凸面を向けた負メニスカスレンズと、像側に凸面を向けた正メニスカスレンズと両凹負レンズとの接合レンズと、からなる。
第３レンズ群Ｇ３は物体側に凸面を向けた正メニスカスレンズからなる。
第４レンズ群Ｇ４は、両凸正レンズと、両凸正レンズと両凹負レンズと物体側に凸面を向けた正メニスカスレンズとの接合レンズと、からなる。
第５レンズ群Ｇ５は両凸正レンズからなる。
【００９５】
非球面は、第１レンズ群Ｇ１の両凸正レンズの物体側の面と、正メニスカスレンズの像側の面と、第２レンズ群Ｇ２の負メニスカスレンズの両面と、第３レンズ群Ｇ３の正メニスカスレンズの物体側の面と、第４レンズ群Ｇ４の物体側の両凸正レンズの両面と、第５レンズ群Ｇ５の両凸正レンズの像側の面と、の８面に設けられている。
【００９６】
以下に、上記各実施例の数値データを示す。記号は上記のほか、Ｒは各レンズ面の曲率半径、Ｄは各レンズの肉厚または間隔、ｎｄは各レンズのｄ線における屈折率、νｄは各レンズのｄ線におけるアッベ数、Ｋは円錐係数をそれぞれ示している。
【００９７】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋Ｋ）・（Ｙ／ｒ）２｝１／２］＋
Ａ４×Ｙ４＋Ａ６×Ｙ６＋Ａ８×Ｙ８＋Ａ１０×Ｙ１０＋Ａ１２×Ｙ１２・・・（Ｉ）
ただし、
ｒは近軸曲率半径、
Ｋは円錐係数、
Ａ4 、Ａ6 、Ａ8 、Ａ10、Ａ12はそれぞれ４次、６次、８次、１０次、１２次の非球面係数である。
また、非球面係数において、「ｅ−ｎ」（ｎは整数）は、「１０−ｎ」を示している。
【００９８】
数値実施例１
単位ｍｍ
面データ
面番号      r          d         nd        νd 
物面        ∞         ∞
1           ∞        0.60     2.00069    25.46
2         11.783      2.14
3           ∞        8.60     1.90366    31.31
4           ∞        0.30
5*        16.190      1.98     1.69350    53.21
6*       -37.290      0.50     1.73310    48.90
7*       -13.930      可変
8*       -66.882      0.70     1.83481    42.71
9*        16.477      1.18
10       -16.288      1.12     1.92286    20.88
11        -6.825      0.70     1.88300    40.76
12        62.039      可変
13*        9.980      1.03     1.69895    30.13
14        18.753      0.63
15         絞り       可変
16*        7.425      2.90     1.49700    81.54
17*      -15.128      0.15
18         7.849      3.10     1.72000    43.69
19        -6.262      0.72     1.90366    31.31
20         3.033      1.72     1.71300    53.87
21         4.734      可変
22        13.397      1.80     1.52542    55.78
23*      -16.108      可変
24          ∞        0.50     1.51633    64.14
25          ∞        0.50
26          ∞        0.50     1.51633    64.14
27          ∞        0.39
像面(撮像面)   ∞
非球面データ
第５面
K=-0.627
A4=-5.02983e-05,A6=1.92205e-06,A8=-1.54833e-08,A10=-1.18380e-10
第６面
K=0.000
A4=1.02277e-03,A6=-6.55842e-05,A8=6.21970e-07
第７面
K=-0.423
A4=1.04210e-04,A6=-1.56817e-06,A8=1.14249e-08
第８面
K=0.363
A4=3.13661e-04,A6=-1.56364e-05,A8=2.88688e-08,A10=4.37010e-09
第９面
K=5.202
A4=2.00257e-04,A6=-2.16823e-05,A8=6.82067e-08
第１３面
K=0.768
A4=-2.30762e-04,A6=-2.49905e-06,A8=-2.81050e-07
第１６面
K=-0.113
A4=-1.36112e-04,A6=6.15340e-06,A8=-1.15090e-06,A10=-4.48554e-09
第１７面
K=0.595
A4=1.90807e-04,A6=2.64101e-06,A8=-1.47655e-06,A10=-3.87357e-09
第２３面
K=-1.766
A4=-5.17783e-05,A6=-2.37186e-06,A8=-6.47319e-08,A10=3.14974e-09
ズームデータ
広角     中間      望遠  
焦点距離         4.46     10.56     21.10  
ＦＮＯ．         3.50      5.03      6.00  
画角２ω        88.14     37.93     19.82  
D7               0.30      4.88      8.62  
D12              8.62      4.04      0.30  
D15              8.16      3.89      0.30  
D21              2.74      7.11      9.01  
D23              1.40      1.31      3.00  
fb (in air)      2.95      2.86      4.55  
全長 (in air)   52.65     52.65     52.65  
群焦点距離
f1=15.03     f2=-7.42     f3=29.11     f4=13.43     f5=14.22   
【００９９】
数値実施例２
単位ｍｍ
面データ
面番号      r          d         nd        νd 
物面        ∞         ∞
1           ∞        0.60     2.00069    25.46
2         11.749      2.14
3           ∞        8.60     1.90366    31.31
4           ∞        0.30
5*        15.979      1.98     1.69350    53.21
6*       -38.441      0.50     1.73310    48.90
7*       -14.092      可変
8*       -84.227      0.70     1.83481    42.71
9*        15.708      1.21
10       -15.336      1.13     1.92286    20.88
11        -6.709      0.70     1.88300    40.76
12        82.508      可変
13*       10.343      0.61     1.69895    30.13
14        20.082      0.63
15         絞り       可変
16*        7.474      2.80     1.49700    81.54
17*      -15.044      0.15
18         7.798      3.00     1.72151    29.23
19        -6.409      0.72     1.90200    25.10
20         3.021      1.76     1.72000    43.69
21         4.638      可変
22        13.432      1.80     1.51633    64.14
23*      -15.103      可変
24          ∞        0.50     1.51633    64.14
25          ∞        0.50
26          ∞        0.50     1.51633    64.14
27          ∞        0.39
像面(撮像面)   ∞
非球面データ
第５面
K=-0.608
A4=-4.94266e-05,A6=1.73911e-06,A8=-1.12726e-08,A10=-2.33513e-10
第６面
K=0.000
A4=1.02277e-03,A6=-6.55842e-05,A8=6.21970e-07
第７面
K=-0.425
A4=1.04884e-04,A6=-1.65736e-06,A8=9.83398e-09
第８面
K=-20.230
A4=3.16800e-04,A6=-1.54192e-05,A8=1.34475e-07,A10=1.91746e-09
第９面
k=4.967
A4=1.96841e-04,A6=-2.21161e-05,A8=2.39775e-07
第１３面
K=0.784
A4=-2.14610e-04,A6=-5.31448e-06,A8=2.10979e-07 
第１６面
K=-0.091
A4=-1.28489e-04,A6=6.48184e-06,A8=-1.29329e-06,A10=7.59984e-09
第１７面
K=0.545
A4=1.93085e-04,A6=1.89803e-06,A8=-1.42403e-06,A10=8.73513e-10
第２３面
K=-2.390
A4=-7.30572e-05,A6=-4.05031e-06,A8=3.78842e-08,A10=1.21263e-09
ズームデータ
広角      中間     望遠
焦点距離         4.46     10.56     21.10 
ＦＮＯ．         3.50      5.06      6.00 
画角２ω        88.14     38.15     19.91 
D7               0.31      4.84      8.66 
D12              8.65      4.12      0.30 
D15              8.24      3.88      0.30 
D21              2.86      7.43      9.30 
D23              1.50      1.29      3.00 
D27              0.39      0.39      0.39 
fb (in air)      3.05      2.84      4.55 
全長 (in air)   52.44     52.44     52.44 
群焦点距離
f1=15.06     f2=-7.45     f3=29.75     f4=13.67     f5=14.07   
【０１００】
数値実施例３
単位ｍｍ
面データ
面番号      r          d         nd       νd 
物面       ∞         ∞
1        21.220      0.60     2.00069    25.46
2         6.891      3.46
3          ∞        8.00     1.84666    23.78
4          ∞        0.20
5*       26.019      3.30     1.67790    55.34
6*      -10.594      0.30     1.68893    31.07
7*      -10.51       0.10
8*      -12.421      0.48     1.80610    40.92
9*       32.583      0.33
10       47.356      1.30     1.92286    18.90
11      -16.747      0.49     1.88300    40.76
12       27.921      可変
13       33.554      0.81     1.92286    18.90
14       37.111      0.50
15        絞り       可変
16*       7.833      3.10     1.52542    55.78
17*     -16.853      0.10
18       23.089      2.90     1.49700    81.54
19       -6.490      0.50     1.67003    47.23
20      -10.318      0.30
21        8.160      2.00     1.49700    81.54
22      -25.683      0.48     2.00069    25.46
23        4.429      可変
24      -39.200      1.80     1.71736    29.52
25       -9.760      可変
26         ∞        0.50     1.51633    64.14
27         ∞        0.50
28         ∞        0.50     1.51633    64.14
29         ∞        0.39
像面(撮像面)   ∞
非球面データ
第５面
K=0.000
A4=-4.54344e-05,A6=1.41004e-06,A8=-1.83204e-08
第６面
K=0.000
A4=-3.70991e-04,A6=1.16542e-05,A8=-1.14308e-07
第７面
K=0.326
A4=1.04663e-04,A6=1.68313e-06,A8=-7.20268e-09,A10=6.36988e-11
第８面
K=0.000
A4=-1.79165e-04,A6=9.28415e-06
第９面
K=0.000
A4=-4.05241e-04,A6=1.10797e-05
第１６面
K=0.000
A4=-3.38399e-04,A6=-6.20033e-06
第１７面
K=0.000
A4=4.30588e-04,A6=-6.81288e-06
ズームデータ
広角      中間      望遠
焦点距離           4.46     10.56     21.10  
ＦＮＯ．           3.50      4.63      7.20  
画角２ω          87.44     37.96     20.60  
D7                 0.92      6.97      8.15  
D12                7.59      1.54      0.36  
D15                9.07      6.44      0.30  
D23                2.70      6.12     12.26  
D25                2.89      2.10      2.10  
fb (in air)        4.43      3.65      3.65  
全長 (in air)     56.16     56.16     56.16  
群焦点距離
f1=14.33     f2=-9.78    f3=341.95     f4=10.58     f5=17.66   
【０１０１】
数値実施例４
単位ｍｍ
面データ
面番号      r          d         nd       νd 
物面       ∞         ∞
1        20.013      0.60     2.00069    25.46
2         6.703      3.55
3          ∞        8.00     1.84666    23.78
4          ∞        0.20
5*       25.288      0.30     1.68893    31.16
6*       22.124      3.30     1.67790    55.34
7*      -10.446      0.10
8*      -13.046      0.48     1.80610    40.92
9*       22.399      0.32
10       26.655      1.35     1.92286    18.90
11      -20.501      0.49     1.88300    40.76
12       22.426      可変
13       41.649      0.81     1.92286    18.90
14       43.941      0.50
15        絞り       可変
16*       7.879      3.10     1.52542    55.78
17*     -16.002      0.10
18       22.361      2.90     1.49700    81.54
19       -6.680      0.50     1.67003    47.23
20      -10.628      0.30
21        8.699      2.00     1.49700    81.54
22      -24.518      0.48     2.00069    25.46
23        4.577      可変
24      -38.905      1.80     1.71736    29.52
25       -9.782      可変
26         ∞        0.50     1.51633    64.14
27         ∞        0.50
28         ∞        0.50     1.51633    64.14
29         ∞        0.39
像面(撮像面)   ∞
非球面データ
第５面
k=0.000
A4=-5.74246e-05,A6=1.26768e-06,A8=-1.71241e-08 
第６面
k=0.000
A4=3.22248e-04,A6=-6.97734e-06,A8=8.82762e-08 
第７面
k=0.335
A4=1.00339e-04,A6=1.64734e-06,A8=-8.30208e-09,A10=8.52536e-11
第８面
k=0.000
A4=-2.52313e-04,A6=1.02095e-05
第９面
k=0.000
A4=-4.72618e-04,A6=1.12731e-05
第１６面
k=0.000
A4=-3.41223e-04,A6=-6.36227e-06
第１７面
k=0.000
A4=4.29084e-04,A6=-7.00532e-06
ズームデータ
広角     中間      望遠
焦点距離          4.46     11.08     21.10  
ＦＮＯ．          3.50      4.72      7.20  
画角２ω         88.75     36.65     20.61  
D7                0.92      7.13      8.21  
D12               7.66      1.46      0.38  
D15               8.71      5.97      0.30  
D23               2.70      6.39     12.06  
D25               3.05      2.10      2.10  
fb (in air)       4.60      3.65      3.65  
全長 (in air)    56.16     56.16     56.16  
群焦点距離
f1=13.89     f2=-9.66    f3=740.30     f4=10.50     f5=17.76   
【０１０２】
数値実施例５
単位ｍｍ
面データ
面番号      r          d         nd       νd 
物面       ∞         ∞
1          ∞        0.60     2.00069    25.46
2        11.701      2.22
3          ∞        8.60     1.90366    31.31
4          ∞        0.30
5*       15.493      2.57     1.69350    53.21
6       -14.144      0.10     1.63387    23.38
7*      -13.730      可変
8*      -34.503      0.69     1.80610    40.92
9*       38.923      0.80
10      -26.016      1.12     1.92286    18.90
11       -8.308      0.70     1.88300    40.76
12       15.731      可変
13*       7.394      0.80     1.68893    31.07
14       11.271      0.63
15        絞り       可変
16*       7.950      2.80     1.49700    81.54
17*     -15.612      0.15
18        7.294      3.06     1.80810    22.76
19       -7.638      0.60     1.92286    18.90
20        3.228      1.01     1.76182    26.52
21        4.112      可変
22       19.926      1.80     1.52542    55.78
23*     -10.416      可変
24         ∞        0.50     1.58313    59.38
25         ∞        0.50
26         ∞        0.50     1.51633    64.14
27         ∞        0.39
像面(撮像面)   ∞
非球面データ
第５面
k=-0.490
A4=-4.66155e-05,A6=3.67375e-07,A8=-1.71879e-09,A10-4.27952e-11
第７面
k=-0.137
A4=8.98779e-05,A6=5.54923e-07,A8=-6.75690e-09
第８面
k=25.911
A4=3.43805e-04,A6=4.34601e-06,A8=-7.86960e-07,A10=1.25217e-08
第９面
k=13.342
A4=1.67874e-04,A6=1.10374e-07,A8=-6.54282e-07
第１３面
k=0.274
A4=-3.10230e-04,A6=-1.02527e-05,A8=-7.47098e-08
第１６面
k=-0.009
A4=-1.15895e-04,A6=2.67427e-05,A8=-1.59174e-06,A10=3.60365e-08
第１７面
k=-1.671
A4=2.95243e-04,A6=2.43310e-05,A8=-1.30454e-06,A10=1.93551e-08
第２３面
k=-1.478
A4=-1.00341e-04,A6=-2.84719e-06,A8=-7.58454e-08,A10=4.06994e-09
ズームデータ
広角     中間      望遠
焦点距離          4.46     10.56     21.09 
ＦＮＯ．          3.49      4.76      5.92 
画角２ω         84.72     36.65     19.04 
D7                0.30      5.14      8.66 
D12               8.66      3.82      0.30 
D15               7.99      3.89      0.30 
D21               4.05      7.59      9.79 
D23               1.05      1.61      3.00 
fb (in air)       2.60      3.15      4.54   
全長 (in air)    52.14     52.14     52.14   
群焦点距離
f1=14.72     f2=-7.20     f3=28.79     f4=12.81     f5=13.29   
【０１０３】
数値実施例６
単位ｍｍ
面データ
面番号      r          d         nd       νd 
物面       ∞         ∞
1          ∞        0.60     2.00069    25.46
2        11.696      2.31
3          ∞        8.60     1.90366    31.31
4          ∞        0.30
5*       16.276      0.30     1.63387    23.38
6*       16.000      2.70     1.69350    53.21
7*      -13.496      可変
8*      -38.419      0.69     1.80610    40.88
9*       26.529      0.99
10      -23.738      1.22     1.92286    20.88
11       -7.050      0.70     1.88300    40.76
12       19.462      可変
13*       7.239      0.62     1.72151    29.23
14       10.757      0.63
15        絞り       可変
16*       7.700      2.93     1.49700    81.54
17*     -13.416      0.15
18        8.171      3.15     1.72151    29.23
19       -6.397      0.56     1.90200    25.10
20        3.184      2.37     1.74320    49.34
21        4.804      可変
22       17.517      1.80     1.52542    55.78
23*     -14.058      可変
24         ∞        0.50     1.58313    59.38
25         ∞        0.50
26         ∞        0.50     1.51633    64.14
27         ∞        0.38
像面(撮像面)   ∞
非球面データ
第５面
k=-0.165
A4=-3.41278e-05,A6=-7.12362e-07,A8=1.99337e-08,A10=1.03160e-10
第６面
k=-0.643
A4=-1.84362e-05,A6=1.08387e-06,A8=4.47981e-08
第７面
k=-0.207
A4=9.44493e-05,A6=-4.15823e-07,A8=2.31884e-08
第８面
k=11.748
A4=3.05441e-04,A6=1.09371e-05,A8=-3.50844e-07,A10=6.80876e-09
第９面
k=7.790
A4=2.39247e-04,A6=2.84762e-06,A8=1.11011e-06
第１３面
k=0.338
A4=-3.13193e-04,A6=-1.17075e-05,A8=9.63383e-07
第１６面
k=-0.163
A4=-1.48892e-04,A6=8.53089e-07,A8=-1.06945e-06,A10=1.18080e-07
第１７面
k=-0.137
A4=2.25121e-04,A6=1.46390e-05,A8=-3.87640e-06,A10=2.40615e-07
第２３面
k=-3.661
A4=-3.98884e-05,A6=-8.86578e-06,A8=-1.20008e-07,A10=1.28262e-08
ズームデータ
広角     中間      望遠
焦点距離          4.41     10.56     21.10 
ＦＮＯ．          3.50      4.63      6.50 
画角２ω         88.56     37.82     19.86 
D7                0.30      5.49      8.42 
D12               8.41      3.22      0.30 
D15               8.06      4.45      0.30 
D21               3.13      5.64      8.28 
D23               0.39      1.50      3.00 
fb (in air)       1.94      3.03      4.52  
全長 (in air)    52.44     52.44     52.44  
群焦点距離
f1=14.82     f2=-7.21     f3=28.57     f4=11.95     f5=15.14   
【０１０４】
数値実施例７
単位ｍｍ
面データ
面番号      r          d         nd       νd
物面       ∞         ∞
1          ∞        0.60     2.00069    25.46
2        11.596      2.25
3          ∞        8.60     1.90366    31.32
4          ∞        0.30
5*       15.211      2.75     1.72476    55.03
6       -14.460      0.10     1.63387    23.38
7*      -14.373      可変
8*      -16.901      0.69     1.82283    44.78
9*      -74.705      0.54
10      -32.230      1.25     1.89562    19.69
11       -8.253      0.70     1.88300    40.76
12       12.203      可変
13*       8.479      1.07     1.68893    31.07
14       13.687      0.63
15        絞り       可変
16*       7.376      2.93     1.49700    81.54
17*     -15.594      0.15
18        7.825      3.15     1.71038    25.81
19       -6.193      0.72     1.90823    24.24
20        3.019      1.58     1.69815    56.61
21        4.890      可変
22       16.904      1.80     1.52542    55.78
23*     -12.218      可変
24         ∞        0.50     1.58313    59.38
25         ∞        0.50
26         ∞        0.50     1.51633    64.14
27         ∞        0.39
像面(撮像面)   ∞
非球面データ
第５面
k=-0.562
A4=-4.82045e-05,A6=-7.36616e-07,A8=2.02890e-08,A10=-5.91897e-11
第７面
k=-0.150
A4=9.14702e-05,A6=-8.01280e-07,A8=1.88756e-08
第８面
k=-4.283
A4=3.34717e-04,A6=1.19292e-05,A8=-6.90619e-07,A10=9.15023e-09
第９面
k=-58.177
A4=1.92406e-04,A6=1.26860e-05,A8=-3.55670e-07 
第１３面
k=0.595
A4=-2.74949e-04,A6=-1.68473e-05,A8=1.74097e-06 
第１６面
k=-0.115
A4=-1.38084e-04,A6=-7.32845e-06,A8=1.38938e-07,A10=-7.48094e-08
第１７面
k=1.120
A4=1.73997e-04,A6=-6.49915e-06,A8=-1.24516e-06,A10=-2.44462e-08
第２３面
k=-0.327
A4=-2.67394e-04,A6=7.19598e-06,A8=-3.63742e-07,A10=8.20118e-09
ズームデータ
広角     中間      望遠
焦点距離          4.47     13.50     27.05 
ＦＮＯ．          3.50      5.23      6.30 
画角２ω         88.68     31.78     16.38 
D7                0.30      6.11      9.56 
D12               9.56      3.75      0.30 
D15               8.44      2.25      0.30 
D21               2.50      6.70     10.15 
D23               2.50      4.50      3.00 
fb (in air)       4.04      6.02      4.54 
全長 (in air)    54.65     54.65     54.65 
群焦点距離
f1=13.82     f2=-6.91     f3=29.85     f4=14.24     f5=13.79   
【０１０５】
実施例８〜１４は、それぞれ実施例１〜７のズームレンズを用い、電気的に歪曲収差を補正する撮像装置に用いた例であり変倍時に有効撮像領域の形状が変化する。そのため、ズーム状態における像高や画角が対応する実施例と相違する。
【０１０６】
実施例８〜１４では広角側で発生する樽型の歪曲収差を電気的に補正したうえで画像の記録や表示を行っている。
【０１０７】
本実施例のズームレンズは矩形の光電変換面上に広角端では樽型の歪曲収差が発生する。一方中間焦点距離状態付近や望遠端では歪曲収差の発生が抑えられる。
【０１０８】
歪曲収差を電気的に補正するために、有効撮像領域は、広角端では樽型形状とし、中間焦点距離状態や望遠端では矩形の形状となるようにしている。そして、あらかじめ設定した有効撮像領域を画像処理により画像変換し、歪みを低減させた矩形の画像情報に変換する。
【０１０９】
広角端での最大像高ＩＨwは、中間焦点距離状態の最大像高ＩＨsや望遠端での最大像高ＩＨtよりも小さくなるようにしている。
本実施例８〜１４では、広角端にて光電変換面の短辺方向の長さが有効撮像領域の短辺方向の長さと同じになるようにし、画像処理後の歪曲収差が−３％程残るように有効撮像領域を定めている。もちろん、それよりも小さい樽型の領域を有効撮像領域として矩形に変換した画像を記録・再生するようにしてもよい。
【０１１０】
実施例８のズームレンズは実施例１のズームレンズに同じである。
実施例９のズームレンズは実施例２のズームレンズに同じである。
実施例１０のズームレンズは実施例３のズームレンズに同じである。
実施例１１のズームレンズは実施例４のズームレンズに同じである。
実施例１２のズームレンズは実施例５のズームレンズに同じである。
実施例１３のズームレンズは実施例６のズームレンズに同じである。
実施例１４のズームレンズは実施例７のズームレンズに同じである。
【０１１１】
実施例８における像高、全画角のデータを以下に示す。
各種データ
広角      中間      望遠
像高           3.61      3.8        3.8
画角２ω      85.0      37.93      19.82
【０１１２】
実施例９における像高、全画角のデータを以下に示す。
各種データ
広角      中間      望遠
像高           3.61      3.8        3.8
画角２ω      85.1      38.15      19.91
【０１１３】
実施例１０における像高、全画角のデータを以下に示す。
各種データ
広角      中間      望遠
像高           3.69      3.84      3.84
画角２ω      85.8      37.96     20.60
【０１１４】
実施例１１における像高、全画角のデータを以下に示す。
各種データ
広角      中間      望遠
像高           3.64      3.84      3.84
画角２ω      86.3      36.65     20.61
【０１１５】
実施例１２における像高、全画角のデータを以下に示す。
各種データ
広角      中間      望遠
像高           3.43      3.6       3.6
画角２ω      81.7      36.65     19.04 
【０１１６】
実施例１３における像高、全画角のデータを以下に示す。
各種データ
広角      中間      望遠
像高           3.67      3.84      3.84
画角２ω      86.1      37.82     19.86
【０１１７】
実施例１４における像高、全画角のデータを以下に示す。
各種データ
広角      中間      望遠
像高           3.65      3.84      3.84
画角２ω      85.8      31.78     16.38 
【０１１８】
以上の実施例１〜７の無限遠物点合焦時の収差図をそれぞれ図８〜図１４に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ω”は半画角を示す。
【０１１９】
次に、各実施例における条件式（１）〜（８）の値を掲げる。
実施例１ 実施例２ 実施例３ 実施例４ 実施例５ 実施例６ 実施例７
(1)(|r1|+|r2|)/d1   12.12   12.14    10.15    9.93    10.96    9.92    10.39 
(2)νave            51.05   51.05    43.21   43.25    38.30   38.30    39.21 
(3)f2g/f3g           0.25    0.25     0.03    0.01     0.25    0.25     0.23 
(4)f1ｇ/fw           3.37    3.38     3.21    3.11     3.30    3.36     3.10 
(5)D/ft              2.35    2.35     2.57    2.57     2.34    2.33     1.91 
(6)ft/fw             4.73    4.73     4.73    4.73     4.72    4.78     6.06 
(7)νmax-νmin       4.31    4.31    24.27   24.18    29.83   29.83    31.65 
(8)Dmax/Dce          0.799   0.798    0.917   0.917    0.963   0.900    0.965 
【０１２０】
（歪曲収差の補正）
ところで、本発明のズームレンズを用いたときに、像の歪曲は電気的にデジタル補正する。以下に、像の歪曲をデジタル補正するための基本的概念について説明する。
【０１２１】
例えば、図１５に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１２２】
例えば、図１５において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１２３】
ここで、ｒ'（ω）は次のように表すことができる。
ｒ'（ω）＝α・ｆ・ｔａｎω
ただし、
ωは被写体半画角、
ｆは結像光学系（本発明では、ズームレンズ）の焦点距離、
αは０以上１以下である。
【０１２４】
ここで、半径Ｒの円上（像高）に対応する理想像高をＹとすると、
α＝Ｒ／Ｙ＝Ｒ／（ｆ・ｔａｎω）
となる。
【０１２５】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１２６】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１２７】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１２８】
このような方法は、特にズームレンズを有する電子撮像装置において光学系や電子撮像素子の製造誤差等のために光軸に対して歪みが著しく、光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１２９】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１３０】
なお、歪曲補正後の画像が短辺方向の両端において光量が極端に不足することのないようにするには、半径Ｒが、次の条件式を満足するのがよい。
０≦Ｒ≦０．６Ｌs 
ただし、Ｌsは有効撮像面の短辺の長さである。
【０１３１】
好ましくは、半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１３２】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１３３】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１３４】
そして、分割されたゾーン内の望遠端近傍で略、
ｒ’（ω）＝α・ｆ・ｔａｎω
を満足する補正結果が得られる場合の補正量を算出し、この補正量に対して焦点距離毎に係数を一律に掛けて最終的な補正量にしてもよい。
【０１３５】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１３６】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１３７】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１３８】
図１６〜図１８は、本発明によるズームレンズをデジタルカメラの撮影光学系１４１に組み込んだ構成の概念図を示す。図１６はデジタルカメラ１４０の外観を示す前方斜視図、図１７は同後方斜視図、図１８はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。
【０１３９】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１４０】
このように構成されたデジタルカメラ１４０は、撮影光学系１４１が５倍程度の高変倍比で、高い光学性能を有するズームレンズであるので、高性能で、奥行き方向が極めて薄い安価なデジタルカメラが実現できる。
【０１４１】
なお、図１８の例では、カバー部材１５０として平行平面板を配置しているが、省いてもよい。
【０１４２】
（内部回路構成）
図１９は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１４３】
図１９に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１４４】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１４５】
操作部１１２は各種の入力ボタンやスイッチを備え、これらの入力ボタンやスイッチを介して外部（カメラ使用者）から入力されるイベント情報を制御部に通知する回路である。
【０１４６】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１４７】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１４８】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１４９】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１５０】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１５１】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１５２】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１５３】
以上のように、本発明にかかる撮像装置は、変倍比や画角を有しながら光学性能の確保や小型化する場合に有用である。
【図面の簡単な説明】
【０１５４】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】実施例１の無限遠物点合焦時の収差図である。
【図９】実施例２の無限遠物点合焦時の収差図である。
【図１０】実施例３の無限遠物点合焦時の収差図である。
【図１１】実施例４の無限遠物点合焦時の収差図である。
【図１２】実施例５の無限遠物点合焦時の収差図である。
【図１３】実施例６の無限遠物点合焦時の収差図である。
【図１４】実施例７の無限遠物点合焦時の収差図である。
【図１５】歪曲収差の補正を説明する図である。
【図１６】本発明による光路折り曲げズームレンズを組み込んだデジタルカメラの外観を示す前方斜視図である。
【図１７】上記デジタルカメラの後方斜視図である。
【図１８】上記デジタルカメラの断面図である。
【図１９】デジタルカメラの主要部の内部回路の構成ブロック図である。
【符号の説明】
【０１５５】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｆ…ローパスフィルタ
Ｃ…カバーガラス
Ｐ…プリズム
Ｉ…像面(撮像面)
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
2010134186.tif 000003
【図２】
2010134186.tif 000004
【図３】
2010134186.tif 000005
【図４】
2010134186.tif 000006
【図５】
2010134186.tif 000007
【図６】
2010134186.tif 000008
【図７】
2010134186.tif 000009
【図８】
2010134186.tif 000010
【図９】
2010134186.tif 000011
【図１０】
2010134186.tif 000012
【図１１】
2010134186.tif 000013
【図１２】
2010134186.tif 000014
【図１３】
2010134186.tif 000015
【図１４】
2010134186.tif 000016
【図１５】
2010134186.tif 000017
【図１６】
2010134186.tif 000018
【図１７】
2010134186.tif 000019
【図１８】
2010134186.tif 000020
【図１９】
2010134186.tif 000021